(57)【要約】【課題】健康器具としてのクルミは、その表面に、模様、ロゴ、キャラクター等の表示を行うことができるが、この表示を変えることができない。【解決手段】係合突起部７、１３の係合孔部１２、８への係合を解除して一方及び他方の分割体１Ａ、１Ｂを互い分離し、表示透視体１４を表示透視体装着部１１より外し、表示体１５を表示透視体１４の表示体装着部１６より外して、別の表示体１５を表示体装着部１６に装着し、表示透視体１４を表示透視体装着部１１に装着し、一方及び他方の分割体１Ａ、１Ｂ内に永久磁石２０を収容して一方及び他方の分割体１Ａ、１Ｂを再び組み立てることで、表示体１５の交換を行い、表示透視体１４を透して交換後の表示体１５の表示部１７を見ることができるようにした。【選択図】  図１
2004216085.tif 000002
【特許請求の範囲】
【請求項１】
頂部に挿入孔を形成し且つ表面に複数のツボ刺激用膨出部を設けた半球状の一方の分割体と表面に複数のツボ刺激用膨出部を設けた半球状の他方の分割体と前記一方および他方の分割体をそれぞれの分割面で分離可能に結合する結合手段とを有し、前記一方及び他方の分割体を前記結合手段で結合することで中空球形状にして構成される器具本体と、
前記一方の分割体の内部から前記挿入孔に挿入されて前記一方の分割体に着脱可能に装着される透明な表示透視体と、
前記器具本体に着脱可能に装着されて前記表示透視体を通して表示部が透視可能な表示体とを備えたことを特徴とする健康器具。
【請求項２】
前記器具本体内に永久磁石を収容するようにしたことを特徴とする請求項１に記載の健康器具。
【請求項３】
前記結合手段は、前記一方の分割体の前記分割面に一方の係合突起部と一方の係合孔部とを設けると共に、前記他方の分割体の前記分割面に、前記一方及び他方の分割体の結合時に、前記一方の係合孔部に係脱可能に係合する他方の係合突起部と前記一方の係合突起部が係脱可能に係合される他方の係合孔部とを設けて構成してあり、
前記一方の分割体に、前記挿入孔に挿入した前記表示透視体を着脱可能に装着する表示透視体装着部を設け、
前記表示透視体に前記表示体を着脱可能に装着する表示体装着部を設け、
前記表示体装着部に前記表示体を装着し、前記表示透視体を前記表示透視体装着部に装着し、前記一方及び他方の分割体内に前記永久磁石を収容して前記一方の係合突起部を前記他方の係合孔部に、前記他方の係合突起部を前記一方の係合孔部にそれぞれ係合し、前記永久磁石の端部で前記表示体及び前記表示透視体を内から外に向かって押して前記表示体及び前記表示透視体を前記器具本体に対して固定するようにしたことを特徴とする請求項２に記載の健康器具。
【請求項４】
前記表示体は、プレート本体の表面に、模様、ロゴ、キャラクター等を表示した表示部を設けて構成してある請求項１又は請求項２又は請求項３に記載の健康器具。
【発明の詳細な説明】
【０００１】
【発明の属する技術分野】
本発明は、手の平のツボを刺激する健康器具に関するものである。
【０００２】
【従来の技術】
一般に、手の平のツボを刺激する健康器具としては２個のクルミもしくは凹凸を有する２個の球体がある。
【０００３】
そして、２個のクルミ（もしくは凹凸を有する２個の球体）を手で握り、握力を加減しながら動かすことで２個のクルミ（もしくは凹凸を有する２個の球体）で手の平のツボを刺激するものである。
【０００４】
【発明が解決しようとする課題】
しかしながら、上記した従来の健康器具としてのクルミもしくは凹凸を有する球体は、それらの表面に、模様、ロゴ、キャラクター等の表示を行うことができるが、この表示を変えることができないという問題点があった。
【０００５】
本発明は、上記の問題点に着目して成されたものであって、その目的とするところは、表示体の交換が可能になって、この表示体の表示を変えてアピールして購買者の興味を引き販売向上に繋げることができる健康器具を提供することにある。
【０００６】
【課題を解決するための手段】
上記の目的を達成するために、本発明に係る健康器具は、頂部に挿入孔を形成し且つ表面に複数のツボ刺激用膨出部を設けた半球状の一方の分割体と表面に複数のツボ刺激用膨出部を設けた半球状の他方の分割体と一方および他方の分割体をそれぞれの分割面で分離可能に結合する結合手段とを有し、前記一方及び他方の分割体を前記結合手段で結合することで中空球形状にして構成される器具本体と、一方の分割体の内部から挿入孔に挿入されて一方の分割体に着脱可能に装着される透明な表示透視体と、器具本体に着脱可能に装着されて表示透視体を通して表示部が透視可能な表示体とを備えたものである。
【０００７】
かかる構成により、一方及び他方の分割体を分離し、表示透視体を一方の分割体より外し、表示体を表示透視体より外して、別の表示体を表示透視体に装着し、表示透視体を一方の分割体に装着し、再び一方及び他方の分割体を組み立てることで、表示体の交換を行うことができる。
【０００８】
このように、表示体の交換が可能になるために、１つの健康器具であっても表示体の表示を変えて、健康器具をアピールして購買者の興味を引き、健康器具の販売向上に繋げることができる。
【０００９】
また、本発明に係る健康器具は、上記した本発明に係る健康器具において、器具本体内に永久磁石を収容するようにしたものである。
【００１０】
かかる構成により、永久磁石が発する磁気で手の血行をよくすることができて、ツボ刺激用膨出部によるツボ刺激と相俟って、治療効果をより向上させることができる。
【００１１】
また、本発明に係る健康器具は、上記した本発明に係る健康器具において、結合手段は、前記一方の分割体の分割面に一方の係合突起部と一方の係合孔部とを設けると共に、他方の分割体の分割面に、一方及び他方の分割体の結合時に、一方の係合孔部に係脱可能に係合する他方の係合突起部と一方の係合突起部が係脱可能に係合される他方の係合孔部とを設けて構成してあり、一方の分割体に、挿入孔に挿入した表示透視体を着脱可能に装着する表示透視体装着部を設け、表示透視体に表示体を着脱可能に装着する表示体装着部を設け、表示体装着部に表示体を装着し、表示透視体を表示透視体装着部に装着し、一方及び他方の分割体内に永久磁石を収容して一方の係合突起部を他方の係合孔部に、他方の係合突起部を一方の係合孔部にそれぞれ係合し、永久磁石の端部で表示体及び表示透視体を内から外に向かって押して表示体及び表示透視体を器具本体に対して固定するようにしたものである。
【００１２】
かかる構成により、係合突起部の係合孔部への係合を解除して一方及び他方の分割体を分離し、表示透視体を表示透視体装着部より外し、表示体を表示透視体の表示体装着部より外して、別の表示体を表示体装着部に装着し、表示透視体を表示透視体装着部に装着し、一方及び他方の分割体内に永久磁石を収容して一方及び他方の分割体を再び組み立てることで、表示体の交換を行うことができる。
【００１３】
このように、表示体の交換が可能になるために、１つの健康器具であっても表示体の表示を変えて、健康器具をアピールして購買者の興味を引き、健康器具の販売向上に繋げることができる。
【００１４】
また、本発明に係る健康器具は、上記した本発明に係る健康器具において、表示体は、プレート本体の表面に模様、ロゴ、キャラクター等を表示した表示部を設けて構成してある。
【００１５】
かかる構成により、表示体の交換の際、模様、ロゴ、キャラクター等を表示した表示部を異ならせ、健康器具をアピールして購買者の興味を引き、健康器具の販売向上に繋げることができる。
【００１６】
【発明の実施の形態】
以下、本発明の実施の形態を図面に基づいて説明する。
【００１７】
図１は本発明に係る健康器具の平面図、図２は同健康器具において表示を省略した平面図、図３は図２のＸ−Ｘ線に沿う断面図、図４は図２のＹ−Ｙ線に沿う分解状態の断面図である。
【００１８】
本発明に係る健康器具は、合成樹脂製の中空の略球体であって、２つに半球状の分割体１Ａ、１Ｂを、その分割面２、３で合せることで一体にした器具本体１と、器具本体１の一方の分割体１Ａの頂部に着脱可能に装着される透明な合成樹脂製の表示透視体１４と、この表示透視体１４内に着脱可能に装着される表示体１５と、器具本体１内に収容される永久磁石２０とから構成してある。
【００１９】
器具本体１を構成する一方の分割体１Ａは、その頂部に円形状の挿入孔４が形成してあり、また、一方の分割体１Ａの分割面２に沿う外周部には４つの側面視半円形状のツボ刺激用膨出部５Ａ−１が所定の間隔をおいて形成してあり、これらのツボ刺激用膨出部５Ａ−１の合せ面６Ａが分割面２の一部を構成している。
【００２０】
そして、分割面２には、対向する２つのツボ刺激用膨出部５Ａ−１の位置に合わせてピン状の係合突起部（一方の係合突起部）７が突設してあり、また、分割面２には、対向する他の２つのツボ刺激用膨出部５−１の位置に合わせて係合孔部（一方の係合孔部）８が形成してある。また、一方の分割体１Ａの内部は永久磁石収容部９Ａに成されており、この永久磁石収容部９Ａの端部には、挿入孔４と同心の略円環状の受け部１０を有する表示透視体装着部１１が形成してある。
【００２１】
また、他方の分割体１Ｂは、その頂部に半球状のツボ刺激用膨出部５−３が形成してあり、また、他方の分割体１Ｂの分割面３に沿う外周部には４つの側面視半円形状のツボ刺激用膨出部５Ｂ−１が所定の間隔をおいて形成してあり、これらのツボ刺激用膨出部５Ｂ−１の合せ面６Ｂが分割面３の一部を構成している。
【００２２】
そして、分割面３には、対向する２つのツボ刺激用膨出部５Ｂ−１の位置に合わせて係合孔部（他方の係合孔部）１２が形成してあり、また、分割面３には、対向する他の２つのツボ刺激用膨出部５Ｂ−１の位置に合わせてピン状の係合突起部（他方の係合突起部）１３が突設してある。また、他方の分割体１Ｂの内部は永久磁石収容部９Ｂが形成してある。そして、係合突起部７、１３と係合孔部８、１２とで結合手段を構成している。
【００２３】
表示透視体１４は、ドーム形状の透視体本体１４Ａを有しており、この透視体本体１４Ａの周縁部にはフランジ部１４Ｂを形成してあり、また、透視体本体１４Ａのその周縁部に沿う内周部には表示体装着部１６が形成してある。
【００２４】
表示体１５は、例えば金属製で円板形状のプレート本体１５Ａの表面に模様表示、ロゴ表示、キャラクター表示のような表示部１７を鍍金、印刷等で表示して構成してある。
【００２５】
そして、表示透視体１４の表示体装着部１６に表示体１５を装着し、この表示透視体１４を、一方の分割体１Ａの内部から挿入孔４に挿入して、表示透視体１４のフランジ部１４Ｂを受け部１０に当て、表示透視体１４を表示透視体装着部１１に装着してある。
【００２６】
また、他方の分割体１Ｂの永久磁石収容部９Ｂに永久磁石２０の半分を挿入した状態で、この他方の分割体１Ｂに一方の分割体１Ａを被せ、一方の分割体１Ａの係合突起部７を他方の分割体１Ｂの係合孔部１２に、他方の分割体１Ｂの係合突起部１３を一方の分割体１Ａの係合孔部８にそれぞれ係合させることで、一方及び他方の分割体１Ａ、１Ｂのそれぞれを分割面２、３で合わせて結合してある。
【００２７】
この状態では、永久磁石収容部９Ａ、９Ｂ内に永久磁石２０が隙間なく収容され、この永久磁石２０が、その端面部２０ａで表示体１５の裏面部１５ｂ及び表示透視体１４のフランジ部１４Ｂを内から外に向かって押すようになって、表示体１５及び表示透視体１４が器具本体１に固定されており、表示透視体１４がツボ刺激用膨出部５−２を構成している。
【００２８】
また、一方の分割体１Ａの外周部の４つのツボ刺激用膨出部５Ａ−１と、他方の分割体１Ｂの外周部の４つのツボ刺激用膨出部５Ｂ−１とが、それぞれの合せ面６Ａ、６Ｂで合されて、４つのツボ刺激用膨出部５−１を形成している。
【００２９】
したがって、健康器具の表面には、その分割面２、３に沿う４つのツボ刺激用膨出部５−１と、表示透視体１４が形成するツボ刺激用膨出部５−２と、他方の分割体１Ｂに形成されたツボ刺激用膨出部５−３との６つツボ刺激用膨出部が設けてある。そして、ツボ刺激用膨出部５−２を形成する表示透視体１４を透して内部の表示体１５の表示部１７が見えるようにしてある。
【００３０】
また、表示体１５を交換する場合には、係合突起部７、１３の係合孔部１２、８への係合を解除して一方及び他方の分割体１Ａ、１Ｂを互い分離し、表示透視体１４を表示透視体装着部１１より外し、表示体１５を表示透視体１４の表示体装着部１６より外して、別の表示体１５を表示体装着部１６に装着し、表示透視体１４を表示透視体装着部１１に装着し、一方及び他方の分割体１Ａ、１Ｂ内に永久磁石２０を収容して一方及び他方の分割体１Ａ、１Ｂを再び組み立てることで行われる。したがって、ツボ刺激用膨出部５−２を形成する表示透視体１４を透して交換後の表示体１５の表示部１７を見ることができる。
【００３１】
上記した本発明に係る健康器具の実施の形態によれば、表示体１５の交換が可能になるために、表示体１５の表示を変えて、健康器具をアピールして購買者の興味を引き、健康器具の販売向上に繋げることができし、また、永久磁石２０が発する磁気で手の血行をよくすることができて、ツボ刺激用膨出部５−１〜５−３によるツボ刺激と相俟って、治療効果をより向上させることができる。
【００３２】
【発明の効果】
以上説明したように、本発明に係る健康器具によれば、一方及び他方の分割体を分離し、表示透視体を一方の分割体より外し、表示体を表示透視体より外して、別の表示体を表示透視体に装着し、表示透視体を一方の分割体に装着し、再び一方及び他方の分割体を組み立てることで、表示体の交換を行うことができる。
【００３３】
このように、表示体の交換が可能になるために、１つの健康器具で表示体の表示を変えて、健康器具をアピールして購買者の興味を引き、健康器具の販売向上に繋げることができる。
【００３４】
また、本発明に係る健康器具によれば、永久磁石が発する磁気で手の血行をよくすることができて、ツボ刺激用膨出部によるツボ刺激と相俟って、より治療効果を向上させることができる。
【００３５】
また、本発明に係る健康器具によれば、係合突起部の係合孔部への係合を解除して一方及び他方の分割体を分離し、表示透視体を表示透視体装着部より外し、表示体を表示透視体の表示体装着部より外して、別の表示体を表示体装着部に装着し、表示透視体を表示透視体装着部に装着し、一方及び他方の分割体内に永久磁石を収容して一方及び他方の分割体を再び組み立てることで、表示体の交換を行うことができる。
【００３６】
このように、表示体の交換が可能になるために、１つの健康器具で表示体の表示を変えて、健康器具をアピールして購買者の興味を引き、健康器具の販売向上に繋げることができる。
【００３７】
また、本発明に係る健康器具によれば、表示体の交換の際、模様、ロゴ、キャラクター等を表示した表示部を異ならせ、健康器具をアピールして購買者の興味を引き、健康器具の販売向上に繋げることができる。
【図面の簡単な説明】
【図１】本発明に係る健康器具の平面図である。
【図２】同健康器具において表示を省略した平面図である。
【図３】図２のＸ−Ｘ線に沿う断面図である。
【図４】図２のＹ−Ｙ線に沿う分解状態の断面図である。
【符号の説明】
１        器具本体
１Ａ      一方の分割体
１Ｂ      他方の分割体
２        分割面
３        分割面
４        挿入孔
５−１    ツボ刺激用膨出部
５Ａ−１  ツボ刺激用膨出部
５Ｂ−１  ツボ刺激用膨出部
５−２    ツボ刺激用膨出部
５−３    ツボ刺激用膨出部
７        係合突起部（一方の係合突起部）（結合手段）
８        係合孔部（一方の係合孔部）（結合手段）
１２      係合孔部（他方の係合孔部）（結合手段）
１３      係合突起部（他方の係合突起部）（結合手段）
１４      表示透視体
１５      表示体
２０      永久磁石
【図１】
2004216085.tif 000003
【図２】
2004216085.tif 000004
【図３】
2004216085.tif 000005
【図４】
2004216085.tif 000006